(57)【特許請求の範囲】
【請求項１】
複数の電池(10)を直線状に連結している組電池であって、連結される電池(10)の間に、電池(10)を電気接続する接続体(20)と、隣接する電池(10)を連結する保持キャップ(30)とを配設しており、
接続体(20)は、一方の電池(10)の封口板(12)と他方の電池(10)の外装缶(11)の底面との間に位置して、当該封口板(12)の表面及び当該外装缶(11)の底面に各々溶接されており、
保持キャップ(30)は、互いに連結される一方の電池(10)の端部を挿入して連結する第１筒部(37)と、他方の電池(10)の端部を挿入して連結する第２筒部(38)とを有し、第１筒部(37)と第２筒部(38)とは互いに直線状に配設されており、
隣接するふたつの電池(10)の端部を第１筒部(37)と第２筒部(38)に挿入して、保持キャップ(30)でもって直線状に連結してなり、
第１筒部(37)と第２筒部(38)は接続体(20)を介することなく外装缶(11)に隙間なく密着し、
保持キャップ(30)が接続体(20)を定位置に保持する保持部(32)を有し、この保持部(32)は、第１筒部(37)と第２筒部(38)との間に配設されると共に、接続体(20)の両面を対向して配設される電池(10)に接続するための貫通孔(33)を有し、
接続体(20)の外形を、電池端面に設けられているカシメ凸条(16)の内形よりも小さくして、接続体(20)とカシメ凸条(16)とのショートを阻止しており、保持キャップ(30)の保持部(32)は、電池(10)の端面に設けられているカシメ凸条(16)を被覆すると共に、カシメ凸条(16)の内側に嵌入される凸部リング(35)を設けてなる組電池。
【請求項２】
第１筒部(37)が、電池(10)の端部にある溝部(15)に案内される係止凸部(34)を有する請求項１に記載の組電池。
【請求項３】
保持キャップ(30)が、貫通孔(33)の開口部上端に、内側に突出する抜止ストッパ(36)を有し、この抜止ストッパ(36)で接続体(20)を抜け難いように保持している請求項１に記載の組電池。
【発明の詳細な説明】
【０００１】
【発明の属する技術分野】
本発明は、複数の電池を直線状に連結している組電池に関する。
【０００２】
【従来の技術】
二次電池を直線状に連結している組電池は、主としてハイブリッドカーなどの電動車両に使用される。この構造の組電池は、低抵抗な状態でしっかりと二次電池を連結することが大切である。大きな接続抵抗は組電池の出力を低下させるばかりでなく、ジュール熱が発生して発熱し、さらに抵抗ロスにより電力を有効利用できなくなるからである。二次電池を直線状に連結する組電池として、接続体を使用する構造が特開平１０−１０６５３３号公報に記載される。この公報の組電池と接続体を図１と図２に示す。この組電池は、接続体９０に金属キャップを使用する。金属キャップは、図２に示すように、平面部９３の外周に円筒部９４を連結した形状に金属板をプレス成形したものである。この金属キャップは、図１の断面図に示すように、一方の二次電池１０の封口板１２に平面部９３をスポット溶接して、他方の二次電池１０の円筒外装缶１１の円周面に円筒部９４をスポット溶接してふたつの二次電池１０を直線状に連結する。
【０００３】
【発明が解決しようとする課題】
この構造の組電池は、金属キャップで複数の二次電池を直線状に連結した後、全体を熱収縮チューブで被覆している。この組電池は、二次電池の連結部分をしっかりとした構造にするのが難しい欠点がある。二次電池が金属キャップと熱収縮チューブで直線状に連結されるからである。金属キャップは、封口板にスポット溶接される部分が中心に近く、この部分の曲げ強度を大きくするのが難しい。さらに、熱収縮チューブは、可撓性のチューブであるために変形しやすく、これで二次電池をしっかりとは連結できない。
【０００４】
本発明は、この欠点を解決することを目的に開発されたものである。本発明の重要な目的は、簡単かつ容易に、しかも複数の電池をしっかりと直線状に連結して接続部の曲げ強度を強くでき、必要ならば電池を接続する接続体を保持しながら能率よく連結できる組電池を提供することにある。
【０００５】
【課題を解決するための手段】
本発明の組電池は、複数の電池１０を直線状に連結している。組電池は、連結される電池１０の間に、電池１０を電気接続する接続体２０と、隣接する電池１０を連結する保持キャップ３０とを配設している。接続体２０は、一方の電池１０の封口板１２と他方の電池１０の外装缶１１の底面との間に位置して、当該封口板１２の表面及び当該外装缶１１の底面に各々溶接されている。保持キャップ３０は、互いに連結される一方の電池１０の端部を挿入して連結する第１筒部３７と、他方の電池１０の端部を挿入して連結する第２筒部３８とを有する。第１筒部３７と第２筒部３８とは、互いに直線状に配設されている。組電池は、隣接するふたつの電池１０の端部を第１筒部３７と第２筒部３８に挿入して、保持キャップ３０でもって直線状に連結している。第１筒部３７と第２筒部３８は接続体２０を介することなく外装缶１１に隙間なく密着している。
【０００６】
第１筒部３７は、電池１０の端部にある溝部１５に案内される係止凸部３４を設けることができる。この保持キャップ３０は、第１筒部３７の係止凸部３４を電池１０の溝部１５に案内して、確実に連結できる。
【０００７】
保持キャップ３０は、接続体２０を定位置に保持する保持部３２を設けることができる。この保持部３２は、第１筒部３７と第２筒部３８との間に配設すると共に、接続体２０の両面を対向して配設される電池１０に接続するための貫通孔３３を設けることができる。保持キャップ３０は、貫通孔３３の開口部上端に、内側に突出する抜止ストッパ３６を設けて、この抜止ストッパ３６で接続体２０を抜け難いように保持することができる。
【０００８】
接続体２０は、その外形を電池端面に設けられているカシメ凸条１６の内形よりも小さくして、接続体２０とカシメ凸条１６とのショートを阻止することができる。さらに、保持キャップ３０の保持部３２は、電池１０の端面に設けられているカシメ凸条１６を被覆すると共に、カシメ凸条１６の内側に嵌入される凸部リング３５を設けることができる。この保持キャップ３０は、保持部３２で、接続体２０とカシメ凸条１６とのショートを確実に阻止できる。
【０００９】
【発明の実施の形態】
以下、本発明の実施例を図面に基づいて説明する。ただし、以下に示す実施例は、本発明の技術思想を具体化するための組電池を例示するものであって、本発明は組電池を以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図３に示す組電池は、複数の二次電池１０を直列に接続して直線状に連結している。この構造の組電池は、複数個を直列に接続して、主としてハイブリッドカー等の電動車両に使用される。ただ、本発明の組電池は、電動車両以外の用途であって、大出力が要求される用途にも使用できる。図の組電池は、円筒型電池である二次電池を直線状に連結して直列に接続している。ただし、組電池は、角型電池である二次電池を直線状に連結して直列に接続することもできる。
【００１２】
組電池は、図４に示すように、同一平面に平行に並べてケース７０に収納される。横に並べている組電池は、互いに直列に接続されて出力電圧を高くしている。組電池は、その両端をケース７０に固定される。この組電池は、ケース７０に連結する端子６０を、両端の電池端面から突出して固定している。図の組電池は、電池端面に垂直に端子６０を固定している。端子６０は、下ケース７１の定位置に嵌入されるバスバー７２にネジ止めして固定される。バスバー７２は、隣接する組電池を互いに連結すると共に、組電池を直列に電気接続する。バスバー７２と端子６０は、下ケース７１と上ケース（図示せず）に挟着されて、定位置に固定される。
【００１３】
二次電池１０は、ニッケル−水素電池、リチウムイオン二次電池、ニッケル−カドミウム電池等の充電できる全ての電池を使用することができる。ただ、電動車両用の組電池に使用される二次電池には、ニッケル−水素電池が適している。体積と重量に対する出力が大きくて、優れた大電流特性を有するからである。
【００１４】
二次電池１０は、図５と図６の断面図に示すように、外装缶１１の開口部を封口板１２で気密に密閉している。外装缶１１と封口板１２は金属板である。外装缶１１は、金属板を底のある筒状にプレス成形して製作される。封口板１２は、中央に凸部電極１３を溶接している。外装缶１１の内部には、電極（図示せず）が内蔵される。さらに、電解液も充填される。外装缶１１は、開口部の端部をかしめ加工して封口板１２を気密に固定している。封口板１２は、ガスケット１４を介して外装缶１１のかしめ部に挟着されて気密に固定される。ガスケット１４は絶縁材のゴム状弾性体で、封口板１２と外装缶１１とを絶縁すると共に、封口板１２と外装缶１１との隙間を気密に閉塞する。この構造の二次電池１０は、封口板１２をかしめて挟着するために、封口板１２を設けている端部に、周囲に沿って溝部１５が設けられる。さらに、封口板１２の周縁にはカシメ凸条１６が設けられる。この二次電池１０は、封口板１２を第１の電極として、外装缶１１を第２の電極としている。ニッケル−水素電池は、第１の電極を正極として第２の電極を負極としている。二次電池は、第１の電極を負極として第２の電極を正極とすることもできる。
【００１５】
図４〜図６の組電池は、複数の二次電池１０を直線状に連結して、直列に接続している。これらの組電池は、直線状に連結している二次電池１０の端面の間に、二次電池１０を電気接続する接続体２０と、この接続体２０を定位置に配設する保持キャップ３０とを配設している。図５と図６の組電池は、一方の二次電池１０の封口板１２と他方の二次電池１０の外装缶１１とを接続体２０で接続している。二次電池１０は、封口板１２を第１の電極、外装缶１１を第２の電極としているので、封口板１２に接続される接続体２０が外装缶１１の一部であるカシメ凸条１６に接触するとショートする。したがって、図５の組電池は、接続体２０とカシメ凸条１６とを保持キャップ３０で絶縁している。図６の組電池は、接続体２０とカシメ凸条１６とを絶縁リング４１で絶縁している。
【００１６】
これ等の図に示す接続体２０は、金属板をプレス成形して製作される。接続体２０は、鉄板等の下地金属板の両面に金属メッキ層を設けている。金属メッキ層は、導電性に優れた電気抵抗の小さい導電メッキ層と、この導電メッキ層の表面に積層している溶接に適した抵抗メッキ層とからなる。導電メッキ層は、銅や銀、あるいはこれ等の合金であって、下地金属板と抵抗メッキ層よりも電気抵抗の小さいメッキ層である。抵抗メッキ層は、ニッケルやクローム、あるいはこれらの合金であって、導電メッキ層よりも電気抵抗が大きいメッキ層である。この接続体２０は、抵抗メッキ層で発熱しやすく、電池端面に速やかに溶接される。また導電メッキ層によって電気抵抗が小さく、二次電池１０を低抵抗な状態で直列に接続できる。
【００１７】
接続体２０は、対向して配設される隣接二次電池１０の電池端面に溶接して接続されて、二次電池１０を直列に電気接続している。図７〜図１０は、接続体２０を示している。図７と図８は、図５に示す組電池の接続体２０を、図９と図１０は、図６に示す組電池の接続体２０をそれぞれ示している。図７と図９は平面図、図８と図１０は断面図である。これ等の接続体２０は、金属板を穴のあるリング状に成形して、両面に突出して電池端面に溶接される複数の溶接凸部２２を設けている。両面に突出している溶接凸部２２は、対向する電池端面の第１の電極と第２の電極に溶接されて、隣接して配設している二次電池１０を直列に接続する。さらに、図の接続体２０は、中心孔２１を設けて、ここに凸部電極１３を配設している。接続体は、中心孔を開口することなく、凸部電極を案内する部分を突出させる形状とすることもできる。
【００１８】
図７と図８に示す接続体２０は、図５に示すように、電池端面に設けられているカシメ凸条１６の内形よりも外形を小さくしている。この接続体２０は、外周縁とカシメ凸条１６との間に隙間を設けて、接続体２０がカシメ凸条１６に接触してショートするのを阻止している。接続体２０は、位置がずれるとカシメ凸条１６に接触するので、接続体２０を保持キャップ３０で定位置に保持している。この接続体２０は、同一の円周上に複数の溶接凸部２２を設けている。溶接凸部２２は、交互に反対面、図８において上下に突出している。反対面に突出する溶接凸部２２は、対向して配設される電池端面に溶接して接続される。
【００１９】
図９と図１０に示す接続体２０は、図６に示すように、電池端面に設けているカシメ凸条１６の内形よりも外形を大きくしている。図６の接続体２０は、二次電池１０の外形にほぼ等しい外形としている。この接続体２０は、カシメ凸条１６に接触してショートするのを阻止するために、カシメ凸条１６との間に絶縁リング４１を配設している。絶縁リング４１は、ゴム状弾性体やプラスチック等の絶縁材をリング状に成形したものである。図の絶縁リング４１は、外形を二次電池１０の外形にほぼ等しくしている。内周縁にはカシメ凸条１６の内面を被覆するリング凸条４２を一体成形して設けている。リング凸条４２は、カシメ凸条１６の内側に嵌入される形状である。この絶縁リング４１は、リング凸条４２をカシメ凸条１６の内側に嵌入して定位置に配設される。
【００２０】
この図の接続体２０は、内周部２３と外周部２４とに段差のある形状に、金属板をプレス成形している。内周部２３は封口板１２の表面に接近する位置に配設され、外周部２４は絶縁リング４１の表面で外装缶１１の底面に接近する位置に配設される。接続体２０は、内周部２３と外周部２４に、各々溶接するために複数の溶接凸部２２を設けている。内周部２３の溶接凸部２２は、封口板１２の方向に突出して封口板１２に溶接される。外周部２４の溶接凸部２２は、外装缶１１の底面に向かって突出して外装缶１１の底面に溶接される。内周部２３と外周部２４の溶接凸部２２が、対向する二次電池１０に溶接されて、二次電池１０は直列に接続される。
【００２１】
保持キャップ３０は、全体をプラスチック等の絶縁材で成形している。保持キャップ３０は、隣接する二次電池１０の間に配設されて、隣接する二次電池１０を連結する。隣接する二次電池１０を連結するために、保持キャップ３０は、互いに連結される一方の二次電池１０の端部を挿入して連結する第１筒部３７と、他方の二次電池１０の端部を挿入して連結する第２筒部３８とを有し、第１筒部３７と第２筒部３８とを互いに直線状に配設している。隣接するふたつの二次電池１０は、各々の端部を第１筒部３７と第２筒部３８に挿入して、保持キャップ３０でもって直線状に連結される。
【００２２】
第１筒部３７及び第２筒部３８は、二次電池１０の外装缶１１の端部を隙間なく挿入できる筒状に成形される。円筒型電池の二次電池１０を挿入する第１筒部３７及び第２筒部３８は、円筒形で、その内径を円筒型電池の外径にほぼ等しく、正確には内径を円筒型電池の外径よりもわずかに小さくする。わずかに小さい円筒状の第１筒部３７及び第２筒部３８は、二次電池１０を挿入するとわずかに伸びて、二次電池１０の外装缶１１にぴったりと隙間なく密着する。また、二次電池１０の外装缶１１は、製造工程によって外径にわずかなバラツキがある。規定の寸法よりもわずかに小さく成形している第１筒部３７及び第２筒部３８は、外径にバラツキのある外装缶、とくに細い外装缶の二次電池を隙間なく挿入できる。第１筒部３７及び第２筒部３８が弾性的に伸びて、外装缶の太さのバラツキを吸収するからである。
【００２３】
第１筒部３７は、周囲に溝部１５のある二次電池１０の端部を挿入している。この第１筒部３７は、内面に突出して係止凸部３４を設けている。係止凸部３４は、二次電池１０の端部にある溝部１５に嵌入されて、保持キャップ３０が二次電池１０から抜け難くする。図１１の保持キャップ３０は、第１筒部３７の内面に沿う凸条を設けて係止凸部３４としている。係止凸部は、必ずしも凸条の形状とする必要はない。係止凸部は、部分的に突出する凸部を、二次電池の溝部と対向する位置に設ける形状とすることもできる。
【００２４】
係止凸部３４の内面突出高さは、高すぎると第１筒部３７に二次電池１０の端部をスムーズに挿入できなくなる。反対に低すぎると、挿入した二次電池１０が抜けやすくなる。したがって、係止凸部３４の高さは、スムーズに挿入できて、抜け難いように設計される。保持キャップは、第１筒部と第２筒部に縦方向にスリットを設けることができる。スリットのある第１筒部と第２筒部は、二次電池の端部にスムーズに挿入できる。とくに、スリットのある第１筒部は、高い係止凸部を設けてスムーズに二次電池の端部を挿入できる。スリットで複数に切り離された第１筒部が弾性変形しやすくなるからである。ただ、係止凸部の高さを最適にして、スリットのない第１筒部に二次電池をスムーズに挿入しながら、抜け難いようにすることもできる。
【００２５】
さらに、図の保持キャップ３０は、接続体２０を抜け難いように定位置に保持する保持部３２を設けている。保持部３２は、第１筒部３７と第２筒部３８との間に配設されると共に、保持する接続体２０の両面を対向する電池端に溶接するために貫通孔３３を設けている。プラスチック製の保持キャップ３０は第１筒部３７及び第２筒部３８と保持部３２からなる全体を一体的に成形できるので、保持部３２と第１筒部３７及び第２筒部３８を別々に製作して連結する必要がない。貫通孔３３は、保持部３２に開口される。
【００２６】
図５と図１１の保持キャップ３０は、カシメ凸条１６の表面と内面を保持部３２で被覆している。カシメ凸条１６の内面を絶縁するために、カシメ凸条１６の内側に嵌入される凸部リング３５を一体成形して設けている。凸部リング３５は、保持キャップ３０を二次電池１０の定位置に嵌着する働きもする。この保持部３２は、カシメ凸条１６を絶縁して、カシメ凸条１６が接続体２０と外装缶１１の底面に接触してショートするのを阻止する。すなわち、ふたつの二次電池１０のショートを防止しながら接続体２０を定位置に保持する。さらに、図の保持キャップ３０は、保持部３２に設けている貫通孔３３の開口部上端に、内側に突出する抜止ストッパ３６を設けている。図の抜止ストッパ３６は凸条であるが、部分的に突出する形状とすることもできる。抜止ストッパ３６は、接続体２０を抜け難いように保持する。この保持キャップ３０は、貫通孔３３の内形を接続体２０の外形にほぼ等しくして、抜止ストッパ３６の内形を接続体２０の外形よりも小さくしている。この構造の保持キャップ３０は、保持部３２に設けている貫通孔３３の内周面に接続体２０の外周縁を当接させて、接続体２０を位置ずれしないようにしながら、抜止ストッパ３６で抜け難いように保持する。抜止ストッパ３６が接続体２０の外周縁を係止する状態で、接続体２０は下面に突出している溶接凸部２２を封口板１２に接触させる。
【００２７】
図６の保持キャップ３０は、カシメ凸条１６を絶縁しない。カシメ凸条１６を絶縁するために絶縁リング４１を配設している。絶縁リング４１は、内周縁にリング凸条４２を設けている。この絶縁リング４１は、カシメ凸条１６と接続体２０の外周部２４との間に配設されて、接続体２０とカシメ凸条１６とを絶縁する。絶縁リング４１は、外形を二次電池１０の外形にほぼ等しくして、保持キャップ３０で定位置に保持され、さらに、リング凸条４２をカシメ凸条１６の内側に嵌入して、カシメ凸条１６によっても位置ずれしないように定位置に配設される。
【００２８】
図６の保持キャップ３０は、保持部３２でカシメ凸条１６を絶縁しないので、貫通孔３３を大きくして、保持部３２の幅を狭くしている。大きな貫通孔３３は、カシメ凸条１６の上方に配設される接続体２０の外周部２４を、図において上に配設している外装缶１１の底面に表出させる。保持部３２は、接続体２０の外周縁の上面に位置して、接続体２０を抜け難いように定位置に保持する。接続体２０の外形は二次電池１０の外形にほぼ等しく、第１筒部３７と第２筒部３８の内面に当接して水平方向のずれが阻止される。さらに、この図の接続体２０は、内周部２３と外周部２４との間に段差を設けているので、この段差部２５を絶縁リング４１の内周面に当接して、定位置に配置される。
【００２９】
図５の保持キャップ３０は、保持部３２の抜止ストッパ３６で接続体２０を抜け難いように保持し、図６の保持キャップ３０は、保持部３２で接続体２０を抜け難いように保持するが、本発明は、保持キャップが接続体を定位置に保持する構造を以上のものに特定しない。保持キャップは、接続体を保持部の貫通孔に抜け難いように嵌着して定位置に保持することができる。また、プラスチック製の保持キャップを成形するときに、接続体をインサートして定位置に保持することもでき、さらに、接続体を接着して定位置に保持することもできる。
【００３０】
さらに、保持キャップは、必ずしも接続体を抜け難いように保持する必要はない。それは、第１筒部に挿入される二次電池と、第２筒部に挿入される二次電池とで、接続体を挟着して所定の位置に保持できるからである。たとえば、保持キャップは、図５に示す保持キャップ３０に抜止ストッパ３６を設けない形状とすることもできる。この保持キャップは、図示しないが、保持部の貫通孔の内周面に接続体の外周縁を当接させて位置決めし、第１筒部と第２筒部に挿入される二次電池で接続体を挟着して所定の位置に保持できる。
【００３１】
さらに、図示しないが、保持キャップは、図６に示す保持キャップ３０に保持部３２を設けない形状とすることもできる。この構造の保持キャップは、接続体の外周縁を保持キャップの内周面に当接させて、あるいは、接続体の段差部を絶縁リングの内周面に当接させて接続体を位置決めし、第１筒部と第２筒部に挿入される二次電池で接続体を挟着して所定の位置に保持できる。さらに、この保持キャップは、絶縁リングをプラスチックで一体的に成形することもできる。
【００３２】
【発明の効果】
本発明の組電池は、簡単かつ容易に、しかも複数の電池をしっかりと直線状に連結できる特長がある。それは、本発明の組電池が、連結される電池の間に接続体と保持キャップとを配設し、保持キャップには、一方の電池の端部を挿入して連結する第１筒部と、他方の電池の端部を挿入して連結する第２筒部とを設け、隣接するふたつの電池の端部を第１筒部と第２筒部に挿入して、保持キャップでもって直線状に連結しているからである。この構造の組電池は、連結する電池のそれぞれの端部を保持キャップの第１筒部と第２筒部とに入れて簡単にしっかりと連結できる。とくに、直線状に配置している第１筒部と第２筒部に入れて電池を直線状に連結するので、ふたつの電池を正確に直線状に並べて連結できる特長もある。さらに、この構造の組電池は、互いに直線状に配設される電池の端部を第１筒部と第２筒部に挿入して保持するので、電池の連結部分における曲げ強度を強くできる特長がある。曲げ強度を強くできる組電池は、振動や衝撃等に対して優れた耐久性を実現できるので、接続部分における接触不良等を有効に防止して安全性と信頼性を向上できる。
【００３３】
さらに、本発明の組電池は、必要であれば、保持キャップで接続体を定位置に保持しながら、能率よく連結できる特長もある。保持キャップで定位置に保持される接続体は、溶接されて電池の正確な位置に連結される。この組電池は、接続体を正確な位置に保持する必要がなく、連結される電池と接続体とを正確な位置で能率よく溶接して連結できる特長がある。
【図面の簡単な説明】
【図１】従来の組電池の連結構造を示す縦断面図
【図２】図１に示す組電池の接続体を示す斜視図
【図３】本発明の一実施例にかかる組電池の側面図
【図４】図３に示す組電池をケースに収納する構造を示す斜視図
【図５】図３に示す組電池の連結構造を示す拡大断面図
【図６】本発明の他の実施例にかかる組電池の連結構造を示す拡大断面図
【図７】図５に示す組電池の接続体を示す平面図
【図８】図７に示す接続体のＡ−Ａ線断面図
【図９】図６に示す組電池の接続体を示す平面図
【図１０】図９に示す接続体のＡ−Ａ線断面図
【図１１】図５に示す組電池の保持キャップの断面図
【符号の説明】
１０…電池
１１…外装缶
１２…封口板
１３…凸部電極
１４…ガスケット
１５…溝部
１６…カシメ凸条
２０…接続体
２１…中心孔
２２…溶接凸部
２３…内周部
２４…外周部
２５…段差部
３０…保持キャップ
３２…保持部
３３…貫通孔
３４…係止凸部
３５…凸部リング
３６…抜止ストッパ
３７…第１筒部
３８…第２筒部
４１…絶縁リング
４２…リング凸条
６０…端子
７０…ケース
７１…下ケース
７２…バスバー
９０…接続体
９３…平面部
９４…円筒部
【図１】
0003869733.tif 000002
【図２】
0003869733.tif 000003
【図３】
0003869733.tif 000004
【図４】
0003869733.tif 000005
【図５】
0003869733.tif 000006
【図６】
0003869733.tif 000007
【図７】
0003869733.tif 000008
【図８】
0003869733.tif 000009
【図９】
0003869733.tif 000010
【図１０】
0003869733.tif 000011
【図１１】
0003869733.tif 000012